(57)【要約】【課題】  冷凍冷蔵庫や業務用空調機等から床面等に沿って水平状に配管された排水管に接続してドレン等の排水を円滑に行わせると共に、外気や臭気、さらには、虫や鼠等の侵入を阻止し、また、異物の除去等の内部の清掃が容易に行える排水弁を提供する。【解決手段】  一端開口部を排水管Ａの上流側に、他端開口部を下流側に接続する弁本体１の中央部に上端が蓋部材７によって閉止され且つ下端部内をトラップ部６に形成した弁室２を設け、この弁室２を上記蓋部材７から垂設した仕切板８によって上記トラップ部６以外を流入側と流出側とに分割すると共にこの仕切板８に下流側に開口しているトラップ部の上端開口部を開閉自在に閉止した弁体９を上下回動自在に装着し、この仕切板８と弁体９とによって外気や臭気さらには虫や鼠等が上流側に侵入するのを防止し、また、蓋部材７を取り外すことにより内部を簡単に清掃できるように構成している。【選択図】  図１
2007224529.tif 000002
【特許請求の範囲】
【請求項１】
排水管の中間部に接続する排水弁であって、一端を排水管の上流側に接続する流入口に形成し、他端を排水管の下流側に接続する流出口に形成している弁本体の中央部を弁室に形成し、この弁室の上端に着脱自在な蓋部材によって閉止された開口部を設けると共に弁室の下部内に上記流入、流出口の内底面よりも下方に凹んでいるトラップ部を形成し、さらに、上記弁室内に上記蓋部材の下面から弁室内を上流側と下流側とに２分割する仕切板を垂設すると共にこの仕切板の両側端面が接する上記弁室の対向内壁面に、該内壁面の高さ方向の中央部から上記流出口の内底面に向かって斜め下方に傾斜した弁座を形成し、この弁座に、流出口側に面した上記仕切板から該流出口側に向かって斜め下方に突設している舌片形状の弁体を開閉自在に座着させてこの弁体の座着によりトラップ部と排出口との連通を遮断していることを特徴とする排水弁。
【請求項２】
弁体の基端部を仕切板に上下回動自在に軸支させて、該弁体の自重により流出口側に通じるトラップ部の開口端を開閉可能に閉止していることを特徴とする請求項１に記載の排水弁。
【請求項３】
弁体を弾性板から形成してその基端部を仕切板に上下方向に屈曲可能に連設していると共にその弾性力によって流出口側に通じるトラップ部の開口端を開閉可能に閉止していることを特徴とする請求項１に記載の排水弁。
【請求項４】
弁室の両側壁面を互いに平行な垂直壁面に形成し、この垂直壁面の対向面に弁座の上傾端から垂直下方に向かって垂直ガイド溝を形成し、この垂直ガイド溝に仕切板の下半部の両側端部を引き出し可能に挿嵌させて該仕切板の下端をトラップ部の上端部内に突入させてあり、さらに、仕切板の上端を蓋部材の下面に一体的に設けていることを特徴とする請求項１、請求項２又は請求項３に記載の排水弁。
【発明の詳細な説明】
【技術分野】
【０００１】
本発明は、冷凍冷蔵庫、或いは業務用空調機等の排水管の適所に接続して該排水管の下流側から虫等が上流側に侵入したり、臭気が入るのを防止することができる排水弁に関するものである。
【背景技術】
【０００２】
従来から、例えば、空調機においては、発生したドレンをドレンパンに収容し、このドレンパンのドレン排出口から該排出口に接続した排水管を通じて屋外に排出するように構成しているが、排水管はドレンパンと外気とを直接、連通させた構造となっているため、この排水管を通じて外気や臭気等が空調機内を通じて室内に侵入するといった問題点が発生する。
【０００３】
このため、例えば特許文献１に記載されているように、空調機から室外側に導出した排水管（ドレンホース）の適所に排水弁を接続してこの排水弁により外気との通気を遮断し、外部からの臭気が排水管を通じて室内側に侵入するのを防止するように構成している。詳しくは、この排水弁の構造は、上下端部を接続口に形成しているバルブ本体の中央部をこれらの接続口よりも大径の弁室に形成すると共に、下側の接続口の上端部を弁室の下端部内に突出させてその突出端部を弁室に上下遊動可能に内装している中空球状弁体の弁座に形成してなり、上下接続口を上流側の排水管と下流側の排水管にそれぞれ接続させた状態にして使用し、弁座上に座着する中空球状弁体によって通気を遮断する一方、上流側の排水管からのドレンが弁室内に滞留した際に、中空球状弁体を浮力により浮上させて弁座から離間させ、下流側の排水管に排出するように構成している。
【特許文献１】特開平８−５０９３号公報
【発明の開示】
【発明が解決しようとする課題】
【０００４】
しかしながら、上記のような排水弁によれば、中空球状弁体が着座している状態においては、下流側からの外気が上流側に逆流するのを遮断することができるが、下流側から虫等が侵入した場合には、該中空球状弁体を押し上げてこの排水弁内を通じて上流側に侵入する虞れがある。さらに、気密性を有する室内に換気扇等の作動によって負圧が発生した場合、排水管を通じてこの排水弁の弁室内に吸気力が作用し、この吸気力によって上記中空球状弁体が浮き上がって外気や臭気等が室内に逆流するといった問題点があった。
【０００５】
また、この排水弁は上端に流入口を、下端に流出口を設けている縦型の弁であるため、上記のように家庭用の空調機から室外側に導出され、外壁に沿って垂直状に配設されたドレーンホースに対してはこのドレーンホースの下端部等に接続して使用することができるが、大型の冷凍冷蔵庫や業務用空調機等のように、床下空間内等に床面に沿って水平状に配管されている比較的大径の排水管に対しては使用することができなく、このような排水管に対する臭気等の逆流防止は、Ｕ字形トラップをその排水管の適所に接続することによって行うことができるが、臭気の逆流を防止することができても、排水管の下流側から鼠等が侵入した場合には、このＵ字形トラップ内を通じて容易に上流側に侵入する虞れがある。
【０００６】
さらに、Ｕ字形トラップ内に塵埃や異物等が溜まったり詰まっりした場合には、このＵ字形トラップを排水管から取り外してその除去及び清掃を行う作業を必要とし、その作業が極めて困難である。また、床下等のように低くて狭い空間部にこのようなＵ字形トラップを配設することも困難であるといった問題点があった。
【０００７】
本発明はこのような問題点に鑑みてなされたもので、その目的とするところは、狭い空間部であっても水平状に配管された排水管の適所に簡単に接続して使用することができ、さらに、排水管の下流側から虫や鼠等が上流側に侵入したり、臭気が入るのを確実に阻止し得ると共に、排水管から取り外すことなく弁体や内部の清掃等が簡単に行える排水弁を提供するにある。
【課題を解決するための手段】
【０００８】
上記目的を達成するために本発明の排水弁は、請求項１に記載したように、排水管の中間部に接続する排水弁であって、一端を排水管の上流側に接続する流入口に形成し、他端を排水管の下流側に接続する流出口に形成している弁本体の中央部を弁室に形成し、この弁室の上端に着脱自在な蓋部材によって閉止された開口部を設けると共に弁室の下部内に上記流入、流出口の内底面よりも下方に凹んでいるトラップ部を形成し、さらに、上記弁室内に上記蓋部材の下面から弁室内を上流側と下流側とに２分割する仕切板を垂設すると共にこの仕切板の両側端面が接する上記弁室の対向内壁面に、該内壁面の高さ方向の中央部から上記流出口の内底面に向かって斜め下方に傾斜した弁座を形成し、この弁座に、流出口側に面した上記仕切板から該流出口側に向かって斜め下方に突設している舌片形状の弁体を開閉自在に座着させてこの弁体の座着によりトラップ部と排出口との連通を遮断している構造を有している。
【０００９】
このように構成した排水弁において、請求項２に係る発明は、弁体の基端部を仕切板に上下回動自在に軸支させて、該弁体の自重により流出口側に通じるトラップ部の開口端を開閉可能に閉止していることを特徴とする一方、請求項３に係る発明は、弁体を弾性板から形成してその基端部を上記仕切板に上下方向に屈曲可能に連設していると共にその弾性力によって流出口側に通じるトラップ部の開口端を開閉可能に閉止していることを特徴とする。
【００１０】
また、請求項４に係る発明は、上記請求項１、請求項２又は請求項３に記載の排水弁において、弁室の両側壁面を互いに平行な垂直壁面に形成し、この垂直壁面の対向面に弁座の上傾端から垂直下方に向かって垂直ガイド溝を形成し、この垂直ガイド溝に仕切板の下半部の両側端部を引き出し可能に挿嵌させて該仕切板の下端をトラップ部の上端部内に突入させてあり、さらに、仕切板の上端を蓋部材の下面に一体的に設けていることを特徴とする。
【発明の効果】
【００１１】
請求項１に係る発明によれば、一端を流入口に、他端を流出口に形成しているバルブ本体の中央部を弁室に形成し、この弁室の上端に着脱自在な蓋部材によって閉止された開口部を設けると共に弁室の下部内に上記流入、流出口の内底面よりも下方に凹んでいるトラップ部を形成し、さらに、上記弁室内に上記蓋部材の下面から弁室内を上流側と下流側とに２分割する仕切板を垂設すると共にこの仕切板の両側端面が接する上記弁室の対向内壁面に、該内壁面の高さ方向の中央部から上記流出口の内底面に向かって斜め下方に傾斜した弁座を形成し、この弁座に、流出口側に面した上記仕切板から該流出口側に向かって斜め下方に突設している舌片形状の弁体を開閉自在に座着させているので、高さの低いコンパクトな横型排水弁の構造に構成することができて、冷凍冷蔵庫等から床下等の狭い空間部を通じて水平状に配管されている排水管に対しても、該排水管の適所にこの排水弁を容易に介在させた状態で接続することができ、この使用状態においては、上流側から排出されるドレン等の排水がトラップ部に滞留すると共に、弁室内に配設している仕切板と弁体とによって流入口と流出口間で空気が流通するのを遮断して下流側から臭気等が上流側に逆流するのを確実に防止することができる。
【００１２】
さらに、弁室の内壁面における高さ方向の中央部から流出口の内底面に向かって斜め下方に傾斜した弁座を形成し、この弁座に流出口側に面した仕切板から該流出口側に向かって斜め下方に突設している舌片形状の弁体を開閉自在に座着させているので、排水管の下流側から虫や鼠等が侵入しても、この弁体によって上流側に侵入するのを確実に防止することができると共に、上流側からこの排水弁の弁室内を通じてトラップ部内にドレン等の排水が流入した際には、該トラップ部から下流側に流動しようとする排水の圧力により弁体を押し上げてトラップ部を通じて下流側に円滑に流出させることができる。
【００１３】
その上、換気扇や空調機のファンの作動によって負圧が発生し、この負圧によって配管内に吸気力が生じてもその吸気力が弁体を弁座に一層強固に圧着させる方向に作用することになり、従って、外気や臭気が室内側に侵入する虞れを確実になくすることができる。また、弁本体の弁室の上端に開口部を設けて、この開口部を蓋部材により閉止し、この蓋部材の下面側に上記舌片形状の弁体を取り付けている仕切板を設けているので、この排水弁内に塵埃や異物等が溜まったり詰まったりした場合には、配管からこの排水弁を取り外すことなく、蓋部材を取り外すことによって仕切板や弁体を弁室内から簡単に取り出すことができる。
【００１４】
従って、上記開口部を通じて内部の塵埃や異物等を容易に除去することができると共に弁主体の内部を隅々まで簡単且つ確実に清掃することができ、その上、弁体や仕切板に付着している塵埃等も水洗等によってきれいに除去することができる。さらに、清掃後においては、上記弁室の上端開口部を通じて弁体や仕切板を元の位置に容易に配設することができ、しかるのち、蓋体を閉止することによって使用可能な状態にすることができる。
【００１５】
請求項２に係る発明によれば、上記弁体の基端部を仕切板に上下回動自在に軸支させてその自重により流出口側に通じるトラップ部の開口端を開閉可能に閉止させており、請求項３に係る発明によれば、上記弁体を弾性板から形成してその基端部を仕切板に上下方向に屈曲可能に連設していると共にその弾性力によって流出口側に通じるトラップ部の開口端を開閉可能に閉止しているので、いずれの場合においても、僅かな押し上げ力によって簡単に上方に回動して流出口側に通じるトラップ部の上端部を開放させることができ、上流側から流入するドレン等をトラップ部を通じて下流側に円滑に流出させることができるものであり、また、弁主体内の清掃時には、弁体を仕切板と一体に弁室内から上端開口部を通じて簡単に取り除くことができる。
【００１６】
また、請求項４に係る発明によれば、弁室の両側壁面を互いに平行な垂直壁面に形成し、この垂直壁面の対向面に弁座の上傾端から垂直下方に向かって垂直ガイド溝を形成し、この垂直ガイド溝に仕切板の下半部の両側端部を引き出し可能に挿嵌させて該仕切板の下端をトラップ部の上端部内に突入させているので、弁室の上記上端開口部を通じて仕切板を弁室内に挿入し、その両側端部を上記垂直ガイド溝に挿嵌することによって、該仕切板を円滑に正確な位置に組み込むことができると共に仕切板の組み込みと同時に弁体を弁座上に配設することができ、組立作業が簡単に行うことができるものであり、さらに、仕切り板の下端部がトラップ部内に滞留する水面下にまで没入した状態となるので、この仕切り板により流入口と流出口間がトラップ部内を通じてのみ連通した状態となり、従って、空気の流通を確実に防止することができる。
【００１７】
また、上記仕切板の上端を蓋部材の下面に一体的に設けているので、弁内部の清掃時に弁室の上端開口部を閉止している蓋部材を取り外すことによって弁板を取り付けている仕切板を蓋部材と一体的に上記開口部を通じて外部に同時に取り出すことができ、従って、弁室内等の清掃作業が迅速に行えるばかりでなく、清掃後においては、弁室内にこれらの仕切板と弁体を挿入、配設すると同時に蓋部材によって弁室の上端開口部を閉止することができ、組立作業桃生率よく行うことができる。
【発明を実施するための最良の形態】
【００１８】
次に、本発明の具体的な実施の形態を図面について説明すると、図１〜図３において、弁本体１は透明ないしは半透明の硬質合成樹脂よりなり、中央部を弁室２に形成していると共にこの弁室２の一端側に流入口３を弁室２と一体に形成してあり、他端側に同じく流出口４を一体に形成している。これらの流入口３と流出口４とは同一径で一定長さの短筒形状に形成されていると共に上記弁室２を中央にして同一水平軸心上でこの弁室２の両端から互いに相反する方向に突設し、弁室２の両端に設けている開口部2a、2bにおける一端側の開口部2aに流入口３の流入終端部を連通させ、他端側の開口部に流出口４の流出始端部を連通させている。
【００１９】
弁室２はこれらの流入口３や流出口４よりもやや長い中空部に形成されてあり、その両側壁面を互いに平行な垂直壁面2c、2cに形成している。この垂直壁面2c、2cの対向内側面間の幅寸法は、上記流入口３、流出口４の内径と等しい寸法に形成していると共に、弁室２の上端部を流入口３と流出口４の上周面よりも上方に突出した平面長円形状の周壁部2dに形成し、この周壁部2dの上端を全面的に開口した開口部５に形成している。さらに、弁室２の下部は流入口３、流出口４の内底面よりも下方に船底状に凹ませて流入口３と流出口４の下周面間から下方に膨出したトラップ部６に形成している。
【００２０】
また、弁室２の上記開口部５は合成樹脂製の蓋部材７によって開閉可能に密閉されていると共に、この蓋部材７の下面から下端がトラップ部６の上端部内に達した正面縦長矩形状の合成樹脂製の仕切板８を配設してこの仕切板８により弁室２をトラップ部６を残して流入側と流出側とに二分割し、トラップ部６を通じてのみ流入側と流出側とを連通させている。
【００２１】
さらに、仕切板８の両側下端部を両側端面の下端から内方に向かって傾斜した傾斜端面部8a、8aに形成してあり、この傾斜端面部8a、8aをトラップ部６における下方に向かって内方に傾斜している開口上端面に当接、受止させて仕切板８がそれ以上、下動するのを阻止し、該仕切板８を所定の高さ位置に配設するように構成している。なお、この仕切板８は弁室２内における長さ方向の中央部から流入口３寄り部分に配設されてあり、その上端を仕切板８の下面に一体に連設させているが、仕切板８の下面と分離させて該下面にその上端面を突き当てた状態で密接させるように構成しておいてもよい。
【００２２】
この仕切板８の両側端面が接する弁室２の対向内側壁面における高さ方向の中央部から流出口４の流出始端部である上記他端側の開口部2bの内底面に至る弁室２の内面に、内方に向かって一定幅を有する突条を突設して、この突条により仕切板８の両側端面側から流出口４側の上記開口部2bの内底面に向かって斜め下方に傾斜した平面Ｕ字状の弁座10に形成してあり、さらに、この弁座10の上傾端、即ち、仕切板８の両側端面が接する弁室２の対向内側壁面における高さ方向の中央部から垂直下方に向かって、仕切板７の下半部の両側端部を抜き取り可能に挿嵌させている垂直ガイド溝11、11を設けている。
【００２３】
仕切板８における流出口４側に面した板面の高さ方向の中央両側端部において、上記弁座10の両側上傾端に対向する部分に軸受片12、12を突設してあり、この軸受片12、12に上記弁座10上に座着して、この弁座10で囲まれているトラップ部６の排出側の上端開口部6aを開閉自在に閉止し、トラップ部６と流出口４との連通を遮断する弁体９の基端部を上下回動自在に軸支している。この弁体９は、その外周部の下面が上記弁座10と同一平面形状に形成された舌片形状の合成樹脂製板片からなり、その自重によって上記弁座10上に座着している。
【００２４】
このように構成した排水弁は、図４〜図６に示すように、例えば冷凍冷蔵庫、或いは業務用空調機等から外部にドレンを排出するための水平状に配管された排水管Ａの適所に介在させた状態で接続して使用される。具体的には弁本体１における蓋部材７を上向きに、トラップ部６を下向きにした状態にしてその流入口３を上流側の排水管A1に接続し、流出口４を下流側の排水管A2に接続した状態にする。この時、排水弁は高さの低い横型弁であるから、床下等の狭い空間部であっても、排水管Ａと共に容易に配設施工することができる。
【００２５】
上流側からドレン等の排水が行われていない状態においては、図５に示すように、弁室２のトラップ部６内に水が滞留していると共にトラップ部６の排出側の上端開口部6aは弁体９によって閉止されており、且つ、この弁体９と蓋部材７の下面から下方に垂設している仕切板８とによって弁本体１の上流側の開口部2aと下流側の開口部2bとの連通が遮断されている。
【００２６】
従って、外気や臭気等が上流側の排水管A1内に入るのを防止していると共に、下流側の排水管A2を通じて虫や鼠等が侵入し、弁体９の上面に達しても該弁体９は弁座10上に受止されているので開弁するようなことはなく、弁体９が一層強固に弁座10に圧着してトラップ部６の上端開口部6aを閉止状態を保持し、トラップ部６を通じて上流側に侵入するのを確実に防止することができる。また、室内側で換気扇等の作動により負圧が発生して上流側の排水管A1内に吸気力が生じても、その吸気力が弁体９を弁座10に圧着させる方向に作用するので、排水管Ａを通じて外気が室内に流入することはなく、室内の気密性を保持することができる。
【００２７】
次に、冷凍冷蔵庫や業務用空調機等から排水された場合、上流側の排水管A1からこの弁本体１の開口部2aを通じて該開口部2aに面している弁室２内に流入し、さらに、トラップ部内でその水面を上昇させながら下流側に流動して該トラップ部６の排出側の上端開口部6aを閉止している弁体９の下面に達し、その水圧によって図６に示すように、弁体９を押し上げて開口部6aを開放し、トラップ部６から弁室２の下流側の開口部2bに溢流して下流側排水管A2を通じて外部に排出される。
【００２８】
また、弁本体１は上記のように、透明ないしは半透明の合成樹脂によって形成されているので、外部からこの弁本体１内を透視することができ、蓋部材７を取り除くことなく弁本体１内の状態を確認することができる。そして、長期の使用中に、ドレン等に混入している塵埃や異物等により弁本体１の弁室２内やトラップ部６内が汚損されたり、塵埃等が付着して円滑な作動が行えなくなった場合、弁室２の上端開口部５を閉止している蓋部材７を取り外すと、該開口部５が全面的に開口すると共に蓋部材７の下面から垂設している仕切板８が蓋部材７と一体的に弁本体１外に取り出され、さらに、この仕切板８には弁体９が上下回動自在に連結しているので、この弁体９も同時に開口部５を通じて取り出すことができる。
【００２９】
こうして、蓋部材７を取り外すことによって、弁室２内に配設していた仕切板８と弁体９を一体的に外部に取り出したのち、空になった弁本体１内を水洗等によって清掃すると共に仕切板８や弁体９に付着している塵埃等を除去してきれいに洗浄し、しかるのち、蓋部材７を把持して仕切板８を弁体９と一体的に上記開口部５を通じて弁室２内に挿入し、弁体９の基端から下方の該仕切板８の両側端部を弁室２の対向内側壁面の下半部に設けている垂直ガイド溝11、11に挿嵌させると、該仕切板８の両側下端部の傾斜端面部8a、8aがトラップ部６の上端開口部に当接してそれ以上降下することなくその下端部がトラップ部６の上端部内に達して弁室２を上流側と下流側とに分割した状態となると同時に、弁体９が弁座10に着座すると共に蓋体９によって弁室２の上端開口部５が閉止された状態になって、簡単に排水弁を組み立てることができるものである。
【００３０】
なお、以上の実施の形態において、弁体９はその基端部を仕切板８に上下回動自在に軸支された構造としているが、弁体９を弾性を有する柔軟な合成樹脂材によって形成して、その基端部を仕切板８に一体に連設させ、この連設部を支点として上下方向に弾性的に撓ませて弁座10に着脱させるように構成しておいてもよい。また、弁本体１を不透明な合成樹脂によって形成しておいてもよい。また、本発明の排水弁は、高層建物の床下内に敷設された排水管や台所の排水管にも接続して使用することもできる。
【図面の簡単な説明】
【００３１】
【図１】本発明排水弁の縦断側面図。
【図２】その分解斜視図。
【図３】弁室の内部構造を示す中央を縦断した斜視図。
【図４】使用状態を示す簡略斜視図。
【図５】弁体が閉止している状態の縦断側面図。
【図６】弁体が開らいている状態の縦断側面図。
【符号の説明】
【００３２】
１  弁本体
２  弁室
３  流入口
４  流出口
５  開口部
６  トラップ部
７  蓋部材
８  仕切板
９  弁体
10  弁座
Ａ  排水管
【図１】
2007224529.tif 000003
【図２】
2007224529.tif 000004
【図３】
2007224529.tif 000005
【図４】
2007224529.tif 000006
【図５】
2007224529.tif 000007
【図６】
2007224529.tif 000008